(57)【要約】【課題】  閉蓋の確実性を図るとともに閉蓋の確認を容易にでき、また、電子レンジによる加熱調理時に、マイクロ波を満遍なく照射できるようにして被調理品に加熱むらが生じないようにした電子レンジ加熱紙箱を得る。【解決手段】  箱本体１と、蓋天面部２と該蓋天面部２の両側に箱本体１の一方の対向する箱側壁部３，４の外面に重なる蓋側壁部５，６を備え、後端側が箱本体１の他方の対向する箱側壁部７，８にそれぞれ回動自在に連結し、蓋天面部２の先端同士が重なって箱本体１の開口部９を閉じる上側蓋部材１０と下側蓋部材１１からなる両開き用蓋体１２とを備え、蓋側壁部５，６の内面に係止突段部１３，１４を設け、蓋側壁部５，６に重なる箱側壁部３，４に係止突段部１３，１４に押圧されて弾性変形し、閉蓋位置で係止突段部１３，１４の押圧から外れ解放されて復元して係止突段部１３，１４の端面に係止する係止片１５を設け、箱本体１に、箱本体１の箱底面部１７の下方に空隙を形成する底上げ用脚部１８を設けた。【選択図】    図１
2018172129.tif 000002
【特許請求の範囲】
【請求項１】
上部を開口した矩形状の箱本体と、蓋天面部と該蓋天面部の両側に前記箱本体の一方の対向する箱側壁部の外面に重なる蓋側壁部を備え、後端側が前記箱本体の他方の対向する箱側壁部にそれぞれ回動自在に連結し、回動して前記蓋天面部の先端同士が箱本体の概ね中央部で重なって箱本体の開口部を閉じる上側蓋部材と下側蓋部材からなる両開き用蓋体とを備え、
前記上側蓋部材に備えた前記蓋側壁部の内面には係止突段部が設けられ、前記蓋側壁部に重なる前記箱本体の前記箱側壁部には、閉蓋時に、前記係止突段部に押圧されて弾性変形し、閉蓋位置で係止突段部の押圧から外れ解放されて復元して係止突段部の端面に係止する係止片が外方へ突出するように設けられ、また、前記箱本体には前記箱本体の箱底面部の下方に空隙を形成する底上げ用脚部が設けられていることを特徴とする電子レンジ加熱紙箱。
【請求項２】
前記上側蓋部材と前記下側蓋部材の前記蓋天面部の後端辺には、前記箱本体の他方の対向する前記箱側壁部の外面に重なる蓋後壁部を備えており、前記蓋後壁部は前記箱本体の他方の対向する前記箱側壁部の下端辺にヒンジ部を介して回動自在に連設されており、前記ヒンジ部は前記箱底面部より下方に突出し、前記底上げ用脚部となることを特徴とする請求項１に記載の電子レンジ加熱紙箱。
【請求項３】
前記上側蓋部材の前記蓋天面部の先端には、摘まみ片が起立可能に設けられていることを特徴とする請求項１または２に記載の電子レンジ加熱紙箱。
【請求項４】
前記上側蓋部材の前記蓋天面部の先端部には、差し込み片を備え、前記下側蓋部材の前記蓋天面部の先端部には、前記差し込み片が挿入される切り欠き部が設けられており、前記差し込み片には、側辺の所定位置に横方向に向かう切れ目が設けられていることを特徴とする請求項１から３までのいずれか１項に記載の電子レンジ加熱紙箱。
【請求項５】
前記下側蓋部材の蓋天面部の先端における前記上側蓋部材の前記蓋天面部の先端との重なり部位に蒸気抜き穴が形成されていることを特徴とする請求項４に記載の電子レンジ加熱紙箱。
【発明の詳細な説明】
【技術分野】
【０００１】
本発明は、電子レンジ加熱紙箱に関するものである。
【背景技術】
【０００２】
紙箱に冷凍食品や半調理品などの被調理品を収容し、被調理品を収容している紙箱をそのまま電子レンジに入れて加熱調理する電子レンジ加熱紙箱がある。
このような電子レンジ加熱紙箱として、例えば、特許文献１に記載されているような、上部が開口部とされている紙製の箱主体の１側壁から、開口部を掩蔽する蓋片が延設されており、該蓋片の前後縁間の左右の両側縁から、補強蓋片が延設され、かつ蓋片裏側へ折曲されて蓋片裏面に接着されている電子レンジ加熱紙箱が知られている。
【先行技術文献】
【特許文献】
【０００３】
【特許文献１】実開平５−９４１１９号公報
【発明の概要】
【発明が解決しようとする課題】
【０００４】
しかしながら、特許文献１に記載されている電子レンジ加熱紙箱では、箱主体の開口部の閉蓋は、蓋片の前縁に延設されている差し込み片を箱主体の前面壁の内側に差し込むようにして箱主体の開口部を閉蓋するが、閉蓋の状態は蓋片の差し込み片と箱主体の前面壁との摩擦抵抗によって保持されているので、その保持力は弱く、例えば、持ち運びの過程で閉蓋の状態の蓋片の差し込み片が箱主体の前面壁から外れ、また、電子レンジによる加熱調理中に、被調理品から発生する蒸気の圧力を受けて蓋片の差し込み片が箱主体の前面壁から外れ、開蓋してしまうおそれがあるといった問題があった。
【０００５】
また、箱本体の底面は、平面状となっており、電子レンジに入れたとき、箱主体の底面が電子レンジのテーブルに接触した状態で載置されることになり、そのため、電子レンジによる加熱調理時に、マイクロ波の照射が箱主体の底面に行き届かず、被調理品に加熱むらが生じるおそれがあるといった問題があった。
【０００６】
本発明の目的は、閉蓋の確実性を図るとともに閉蓋の確認を容易にでき、また、電子レンジによる加熱調理時に、マイクロ波を満遍なく照射できるようにして被調理品に加熱むらが生じないようにした電子レンジ加熱紙箱を提供することにある。
【課題を解決するための手段】
【０００７】
上記の目的を達成するために、請求項１に記載の発明は、上部を開口した矩形状の箱本体と、蓋天面部と該蓋天面部の両側に前記箱本体の一方の対向する箱側壁部の外面に重なる蓋側壁部を備え、後端側が前記箱本体の他方の対向する箱側壁部にそれぞれ回動自在に連結し、回動して前記蓋天面部の先端同士が箱本体の概ね中央部で重なって箱本体の開口部を閉じる上側蓋部材と下側蓋部材からなる両開き用蓋体とを備え、前記上側蓋部材に備えた前記蓋側壁部の内面には係止突段部が設けられ、前記蓋側壁部に重なる前記箱本体の前記箱側壁部には、閉蓋時に、前記係止突段部に押圧されて弾性変形し、閉蓋位置で係止突段部の押圧から外れ解放されて復元して係止突段部の端面に係止する係止片が外方へ突出するように設けられ、また、前記箱本体には前記箱本体の箱底面部の下方に空隙を形成する底上げ用脚部が設けられていることを特徴とする。
【０００８】
請求項１に記載の発明によれば、閉蓋時に、前記上側蓋部材と前記下側蓋部材を閉蓋方向に回動し、先ず、前記下側蓋部材を閉じてから上側蓋部材を閉じるが、前記上側蓋部材の回動の過程で、前記箱本体の前記箱側壁部に外方へ突出するように設けられた前記係止片が前記蓋側壁部の内面に設けられた前記係止突段部により下方に押され、弾性変形により折れ曲がって前記蓋側壁部の内面に設けた係止突段部の通過を妨げず、前記上側蓋部材が閉蓋位置に達したときに、前記係止片は前記係止突段部から外れ押圧から解放されて復元し、前記係止突段部の端面に係止することにより、前記上側蓋部材の開蓋方向への回動が阻止されるので、上側蓋部材と下側蓋部材からなる両開き用蓋体による閉蓋がロックされ、箱本体の開口部を確実に閉じることができる。
そして、閉蓋位置で前記係止片が前記係止突段部から外れ押圧から解放されて復元したとき、前記係止片の先端が前記蓋側壁部の内面に弾発的に打ち当たって打撃音を発し、この打撃音を確認することにより、閉蓋がロックされたことを確認できる。
また、開蓋時には、前記上側蓋部材を強く引き上げることにより前記蓋側壁部が前記係止片に押されて外方に張り出るとともに、前記係止片が前記係止突段部により上方へ引き上げられて弾性変形することにより、前記係止片が前記係止突段部から外れ閉蓋のロックが解かれ開蓋することができる。
また、前記箱本体には、前記箱本体の箱底面部の下方に空隙を形成する底上げ用脚部が設けられているので、箱本体は電子レンジのテーブルに、その底面がテーブルから離れた状態で載置され、電子レンジによる加熱調理時に、マイクロ波が箱主体の底面まで満遍なく照射されることになり、被調理品を加熱むらが生じないように調理することができる。
【０００９】
請求項２に記載の発明は、請求項１に記載の、前記上側蓋部材と前記下側蓋部材の前記蓋天面部の後端辺には、前記箱本体の他方の対向する前記箱側壁部の外面に重なる蓋後壁部を備えており、前記蓋後壁部は前記箱本体の他方の対向する前記箱側壁部の下端辺にヒンジ部を介して回動自在に連設されており、前記ヒンジ部は前記箱底面部より下方に突出し、前記底上げ用脚部となることを特徴とする。
【００１０】
請求項２に記載の発明によれば、前記箱本体の前記箱底面部に、前記底上げ用脚部を容易に設けることができる。
【００１１】
請求項３に記載の発明は、請求項１または２に記載の、前記上側蓋部材の前記蓋天面部の先端には、摘まみ片が起立可能に設けられていることを特徴とする。
【００１２】
請求項３に記載の発明によれば、前記上側蓋部材の前記蓋天面部の先端には、前記摘まみ片が起立可能に設けられているので、起立させた前記摘まみ片を摘まんで前記箱本体を持ち上げたとき、前記係止突段部に係止している前記係止片がストッパーとなって、閉蓋の状態を保って前記箱本体を持ち上げることができ、特に加熱調理後の持ち運びが容易となる。
また、開蓋時には、前記摘まみ片を摘まんで前記上側蓋部材を強く引き上げることにより前記蓋側壁部が前記係止片に押されて外方に張り出るとともに、前記係止片が前記係止突段部によって上方へ引き上げられて弾性変形することにより、前記係止片が前記係止突段部から外れ閉蓋のロックが解かれ開蓋することができる。
【００１３】
請求項４に記載の発明は、請求項１から３までのいずれか１に記載の、前記上側蓋部材の前記蓋天面部の先端部には、差し込み片を備え、前記下側蓋部材の前記蓋天面部の先端部には、前記差し込み片が挿入される切り欠き部が設けられており、前記差し込み片には、側辺の所定位置に横方向に向かう切れ目が設けられていることを特徴とする。
【００１４】
請求項４に記載の発明によれば、前記上側蓋部材の前記蓋天面部の先端部に備えた前記差し込み片を前記下側蓋部材の前記蓋天面部の先端部に設けられている前記切り欠き部に差し込む際に、前記差し込み片の側辺における前記切れ目の上側を、前記切れ目から折り曲げておくことにより、前記差し込み片を前記切り欠き部に差し込んだとき、前記差し込み片を切れ目から折り曲げた折り曲げ片の端部が下側蓋部材の前記蓋天面部に当接し、それ以上の差し込みが規制されることにより、閉蓋状態で前記上側蓋部材の前記蓋天面部の先端と前記下側蓋部材の前記蓋天面部の先端との間に隙間を形成することができる。
これにより、電子レンジによる加熱調理に際し、前記差し込み片を前記切り欠き部に差し込んでおくことにより、電子レンジによる加熱調理中に、被調理品から発生する蒸気を前記上側蓋部材の前記蓋天面部の先端と前記下側蓋部材の前記蓋天面部の先端との間に形成される隙間から放出することができる。
【００１５】
請求項５に記載の発明は、請求項４に記載の、前記下側蓋部材の蓋天面部の先端における前記上側蓋部材の前記蓋天面部の先端との重なり部位に蒸気抜き穴が形成されていることを特徴とする。
【００１６】
請求項５に記載の発明によれば、通常の閉蓋状態では、前記下側蓋部材の前記蓋天面部の先端に形成された前記蒸気抜き穴は、前記上側蓋部材の前記蓋天面部の先端で塞がれた状態にあるので、前記蒸気抜き穴から前記箱本体内への埃等の異物の侵入を防止することができる。そして、電子レンジによる加熱調理に際し、前記差し込み片を前記切り欠き部に差し込むことにより、前記上側蓋部材の前記蓋天面部の先端と前記下側蓋部材の前記蓋天面部の先端との間に形成される隙間によって、前記下側蓋部材の前記蓋天面部の先端に形成された前記蒸気抜き穴が開放されるので、電子レンジによる加熱調理中に、被調理品から発生する蒸気を前記箱本体内から一層効果的に放出することができる。
【発明の効果】
【００１７】
本発明に係る電子レンジ加熱紙箱によれば、閉蓋の確実性が図れ、そして閉蓋の確認が容易である。また、電子レンジによる加熱調理時に、マイクロ波を満遍なく照射でき、被調理品に加熱むらの発生を防止することができる。
【図面の簡単な説明】
【００１８】
【図１】本発明に係る電子レンジ加熱紙箱の実施の形態の一例であり、開蓋状態を示す斜視図である。
【図２】図１に示す電子レンジ加熱紙箱の閉蓋状態を示す斜視図である。
【図３】図１に示す電子レンジ加熱紙箱の加熱調理時の閉蓋状態を示す斜視図である。
【図４】図３の一部拡大断面説明図である。
【図５】図１に示す電子レンジ加熱紙箱の展開図である。
【発明を実施するための形態】
【００１９】
以下、本発明に係る電子レンジ加熱紙箱の実施の形態の一例を図面を参照して詳細に説明する。
図１は、本発明に係る電子レンジ加熱紙箱の開蓋状態を示す斜視図、図２は図１に示す電子レンジ加熱紙箱の閉蓋状態を示す斜視図、図３は図１に示す電子レンジ加熱紙箱の加熱調理時の閉蓋状態を示す斜視図、図４は図３の一部拡大断面説明図、図５は図１に示す電子レンジ加熱紙箱の展開図である。
【００２０】
本例の電子レンジ加熱紙箱は、上部を開口した矩形状の箱本体１と、蓋天面部２と該蓋天面部２の両側に箱本体１の一方の対向する箱側壁部３，４の外面に重なる蓋側壁部５，６を備え、後端側が箱本体１の他方の対向する箱側壁部７，８にそれぞれ回動自在に連結し、回動して蓋天面部２の先端同士が箱本体１の概ね中央部で重なって箱本体１の開口部９を閉じる上側蓋部材１０と下側蓋部材１１からなる両開き用蓋体１２とを備えている。
【００２１】
上側蓋部材１０に備えた蓋側壁部５，６の内面には係止突段部１３，１４が設けられ、蓋側壁部５，６に重なる箱本体１の箱側壁部３，４には、閉蓋時に、係止突段部１３，１４に押圧されて弾性変形し、閉蓋位置で係止突段部１３，１４の押圧から外れ解放されて復元して係止突段部１３，１４の端面に係止する係止片１５が外方へ突出するように設けられている。
【００２２】
また、本例では、上側蓋部材１０の先端には摘まみ片１６が設けられており、また、箱本体１には、箱本体１の箱底面部１７の下方に空隙を形成する底上げ用脚部１８が設けられている。
【００２３】
また、本例では、上側蓋部材１０と下側蓋部材１１の蓋天面部２の後端辺には、箱本体１の他方の対向する箱側壁部７，８の外面に重なる蓋後壁部１９を備えており、蓋後壁部１９は箱側壁部７，８の下端辺にヒンジ部２０を介して回動自在に連設されている。このヒンジ部２０は箱底面部１７より下方に突出し、底上げ用脚部１８となる。
【００２４】
また、本例では、上側蓋部材１０の蓋天面部２の先端部に差し込み片２１を備え、下側蓋部材１１の蓋天面部２の先端部には、差し込み片２１が挿入される切り欠き部２２が設けられている。そして、差し込み片２１には、側辺の所定位置に横方向に向かう切れ目２３が設けられている。
【００２５】
また、本例では、下側蓋部材１１の蓋天面部２の先端における上側蓋部材１０の蓋天面部２の先端との重なり部位に、蒸気抜き穴２４が複数形成されている。
【００２６】
このように構成される本例の電子レンジ加熱紙箱は、図５の展開図で示すブランクシート３０により組み立てられる。
【００２７】
ブランクシート３０は、図上、箱底パネル３１の左右辺に箱側壁部７，８となる箱側壁パネル３２，３３が折線３４，３５を介して連設されている。箱側壁パネル３２，３３の側辺には、折線３６，３７を介して箱側壁パネル３２，３３と同幅の箱側壁補助パネル３８，３９が連設されている。
【００２８】
箱側壁補助パネル３８，３９の側辺には、折線４０，４１を介して底上げ用脚部１８となり且つヒンジ部２０となるヒンジパネル４２，４３が連設されている。ヒンジパネル４２，４３の中央には折線４０，４１と平行な折線４４，４５が設けられている。
ヒンジパネル４２，４３の側辺には、折線４６，４７を介して蓋後壁部１０となる蓋後壁パネル４８，４９が連設されている。蓋後壁パネル４８，４９の側辺には、折線５０，５１を介して蓋天面部２となる蓋天面パネル５２，５３が連設されている。
【００２９】
また、箱底パネル３１の前後辺に箱側壁部３，４となる箱側壁パネル５４，５５が折線５６，５７を介して連設されている。箱側壁パネル５４，５５の側辺には、折線５８，５９を介して箱側壁パネル３２，３３と略同幅の箱側壁補助パネル６０，６１が連設されている。箱側壁パネル３２，３３前後辺には、折線６２，６３を介して箱側壁パネル５４，５５に接着されるシールパネル６４，６５が連設されている。
蓋天面パネル５２，５３の前後辺には、折線６６，６７を介して蓋側壁部５，６となる蓋側壁パネル６８，６９が連設されている。
【００３０】
蓋後壁パネル４８の前後辺には、蓋天面パネル５２の蓋側壁パネル６８，６９の内面に接着されて係止突段部１３，１４となる係止突段パネル７０，７１が折線７２，７３を介して連設されている。蓋後壁パネル４９の前後辺には、蓋天面パネル５３の蓋側壁パネル６８，６９の内面に接着されるシールパネル７４，７５が折線７６，７７を介して連設されている。
【００３１】
箱側壁パネル５４，５５には、折線５６，５７から下方に向かって略コ字状の切り込み線７８，７９が設けられており、切り込み線７８，７９で囲まれた部分が係止片１５となる係止片形成部８０，８１となっている。
【００３２】
また、係止突段パネル７０，７１の形状にあっては、閉蓋時に、蓋天面パネル５２の蓋側壁パネル６８，６９の内面に接着されている係止突段部１３，１４となる係止突段パネル７０，７１に押圧され弾性変形し係止片１５となる係止片形成部８０，８１が、閉蓋位置で係止突段パネル７０，７１から外れるような形状に形成されている。
【００３３】
また、上側蓋部材１０の蓋天面部２となる蓋天面パネル５２には、その側辺に折線８２を介して摘まみ片１６となる摘まみパネル８３が連設されている。また、折線８２の途中を未折線部とし、未折線部から内方に向かって略舌片状の切り込み線８４が設けられており、切り込み線８４で囲まれた部分が差し込み片２１となる差し込み片形成部８５となっている。差し込み片形成部８５には、その側辺に切れ目２３が設けられている。
また、下側蓋部材１１の蓋天面部２となる蓋天面パネル５３には、差し込み片２１となる差し込み片形成部８５が挿入される切り欠き部２２が設けられている。
【００３４】
また、下側蓋部材１１の蓋天面部２となる蓋天面パネル５３には、上側蓋部材１０の蓋天面部２となる蓋天面パネル５２の先端との重なり部位に、蒸気抜き穴２４が複数形成されている。
【００３５】
前記ブランクシート３０による本例の電子レンジ加熱紙箱の組み立ては、次のようにして行われる。
【００３６】
箱底パネル３１の左右辺に連設している箱側壁パネル３２，３３を折線３４，３５から谷折りして起立させ、箱側壁パネル３２，３３に連設している箱側壁補助パネル３８，３９を折線３６，３７から山折りして箱側壁パネル３２，３３の外面に接着し、蓋後壁パネル４８，４９を折線４４，４５から谷折りして起立させる。また、箱側壁パネル３２，３３の前後辺に連設しているシールパネル６４，６５を折線６２，６３から谷折りして起立させる。
【００３７】
次に、箱底パネル３１の前後辺に連設している箱側壁パネル５４，５５を折線５６，５７から谷折りして起立させ、箱側壁パネル５４，５５の内面に、箱側壁パネル３２，３３の前後辺に連設しているシールパネル６４，６５を接着する。この後、箱側壁パネル５４，５５の側辺に連設している箱側壁補助パネル６０，６１を折線５８，５９から谷折りして箱側壁パネル５４，５５の内面にシールパネル６４，６５を挟んで接着する。このとき、箱側壁補助パネル６０，６１の折線５８，５９からの谷折りにともない、箱側壁パネル５４，５５に設けられている切り込み線７８，７９で囲まれた係止片形成部８０，８１が外方へ立ち上がり係止片１５となる。これにより箱本体１が形成される。
【００３８】
次に、蓋天面パネル５２を折線５０から谷折りし、蓋天面パネル５２の前後辺に連設している蓋側壁パネル６８，６９を折線６６，６７から谷折りし、次いで蓋後壁パネル４８の前後辺に連設している係止突段パネル７０，７１を折線７２，７３から谷折りして、その外面を蓋側壁パネル６８，６９の内面に接着する。これにより蓋側壁部５，６の内面には係止突段部１３，１４が設けられた上側蓋部材１０が形成される。
【００３９】
次に、蓋天面パネル５３を折線５１から谷折りし、蓋天面パネル５３の前後辺に連設している蓋側壁パネル６８，６９を折線６６，６７から谷折りし、次いで蓋後壁パネル４９の前後辺に連設しているシールパネル７４，７５を折線７６，７７から谷折りして、その外面を蓋側壁パネル６８，６９の内面に接着する。これにより下側蓋部材１１が形成される。
このようにして、図１に示す電子レンジ加熱紙箱が組み立てられる。
【００４０】
上記のように構成された電子レンジ加熱紙箱にあって、閉蓋時には、ヒンジ部２０を介して上側蓋部材１０と下側蓋部材１１を閉蓋方向に回動し（図１参照。）、先ず、下側蓋部材１１を閉じてから上側蓋部材を閉じる。このときの上側蓋部材１０の閉回動の過程で、箱本体１の箱側壁部３，４に外方へ突出するように設けられた係止片１５が上側蓋部材１０の蓋側壁部５，６の内面に設けられた係止突段部１３，１４により下方に押され、素材の弾性変形により折れ曲がって係止突段部１３，１４の通過を妨げず、上側蓋部材１０が閉蓋位置に達したときに、係止片１５が係止突段部１３，１４から外れ押圧から解放されて復元し、係止突段部１３，１４の端面に係止する。
【００４１】
これにより、上側蓋部材１０の開蓋方向への回動が阻止され、上側蓋部材１０と下側蓋部材１１からなる両開き用蓋体１２による閉蓋がロックされる。
そして、閉蓋位置で係止片１５が係止突段部１３，１４から外れ押圧から解放されて復元したとき、係止片１５の先端が蓋側壁部５，６の内面に弾発的に打ち当たって打撃音を発し、この打撃音を確認することにより閉蓋がロックされたことを確認できる。
また、閉蓋状態では、上側蓋部材１０の蓋天面部２の先端と下側蓋部材１１の蓋天面部２の先端は重なった状態にあるので、箱本体１内への埃等の異物の侵入を防止できる（図２参照。）。
【００４２】
また、本例では箱本体１に、箱本体１の箱底面部１７の下方に空隙を形成する底上げ用脚部１８が設けられているので、箱本体１は電子レンジのテーブルに、箱底面部１７がテーブルから離れた状態で載置され、電子レンジによる加熱調理時に、マイクロ波が箱主体１の箱底面部１７まで満遍なく照射されることになり、被調理品を加熱むらが生じないように調理することができる。
【００４３】
また、本例では、上側蓋部材１０と下側蓋部材１１の蓋天面部２の後端辺には、箱本体１の他方の対向する箱側壁部７，８の外面に重なる蓋後壁部１０を備えており、蓋後壁部１０は箱側壁部７，８の下端辺にヒンジ部２０を介して回動自在に連設されているので、上側蓋部材１０と下側蓋部材１１の開閉を容易に行うことができ、また、このヒンジ部２０は箱底面部１７より下方に突出し、底上げ用脚部１８となるので、底上げ用脚部１８を容易に形成できることになる。
【００４４】
また、本例では、上側蓋部材１０の蓋天面部２の先端には、摘まみ片１６が起立可能に設けられているので、起立させた摘まみ片１６を摘まんで箱本体１を持ち上げたとき、係止突段部１３，１４に係止している係止片１５がストッパーとなって、閉蓋の状態を保って箱本体１を持ち上げることができる。
【００４５】
また、本例では、上側蓋部材１０の蓋天面部２の先端部に差し込み片２１を備え、下側蓋部材１１の蓋天面部２の先端部には、差し込み片２１が挿入される切り欠き部２２が設けられており、そして、差し込み片２１には、側辺の所定位置に横方向に向かう切れ目２３が設けられているので、上側蓋部材１０の蓋天面部２に備えた差し込み片２１を下側蓋部材１１の蓋天面部２に設けられている切り欠き部２２に差し込む際に、差し込み片２１の側辺における切れ目２３の上側を、切れ目２３から折り曲げておくことにより、差し込み片２１を切り欠き部２２に差し込んだとき、差し込み片２１を折り曲げた折り曲げ片２１ａの端部２１ｂが下側蓋部材１１の蓋天面部２に当接し、それ以上の差し込みが規制されることにより、閉蓋状態で上側蓋部材１０の蓋天面部２の先端と下側蓋部材１１の蓋天面部２の先端との間に隙間Ｓを形成することができる（図３，図４参照。）。
【００４６】
これにより、電子レンジによる加熱調理に際し、差し込み片２１を切り欠き部２２に差し込んでおくことにより、電子レンジによる加熱調理中に、被調理品から発生する蒸気を上側蓋部材１０の蓋天面部２の先端と下側蓋部材１１の蓋天面部２の先端との間に形成される隙間Ｓから放出することができる。
【００４７】
また、本例では、下側蓋部材１１の蓋天面部２の先端における上側蓋部材１１の蓋天面部２の先端との重なり部位に蒸気抜き穴２４が形成されており、閉蓋状態では、下側蓋部材１１の蓋天面部２の先端に形成された蒸気抜き穴２４は、上側蓋部材１０の蓋天面部２の先端で塞がれた状態にあるが、電子レンジによる加熱調理に際し、差し込み片２１を切り欠き部２２に差し込むことにより、上側蓋部材１０の蓋天面部２の先端と下側蓋部材１１の蓋天面部２の先端との間に形成される隙間Ｓによって、蒸気抜き穴２４が開放されるので、電子レンジによる加熱調理中に、被調理品から発生する蒸気を箱本体１内から一層効果的に放出することができる。
【００４８】
また、開蓋時には、摘まみ片１６を摘まんで上側蓋部材１０を強く引き上げることにより、蓋側壁部５，６が係止片１５に押されて外方に張り出るとともに、係止片１５が係止突段部１３，１４によって上方へ引き上げられて弾性変形することにより、係止片１５が係止突段部１３，１４から外れ閉蓋のロックが解かれ開蓋することができる。
【符号の説明】
【００４９】
１  箱本体
２  蓋天面部
３，４  箱側壁部
５，６  蓋側壁部
７，８  箱側壁部
９  開口部
１０  上側蓋部材
１１  下側蓋部材
１２  両開き用蓋体
１３，１４  係止突段部
１５  係止片
１６  摘まみ片
１７  箱底面部
１８  底上げ用脚部
１９  蓋後壁部
２０  ヒンジ部
２１  差し込み片
２１ａ  折り曲げ片
２１ｂ  端部
２２  切り欠き部
２３  切れ目
２４  蒸気抜き穴
Ｓ  隙間
【図１】
2018172129.tif 000003
【図２】
2018172129.tif 000004
【図３】
2018172129.tif 000005
【図４】
2018172129.tif 000006
【図５】
2018172129.tif 000007